(57)【要約】【課題】単品で、カーペットや衣服等に付着した毛髪等を含む塵埃を寄せ集めと、衣服等に付着したペットの毛や毛玉を除去することができるペットの毛取り具を提供すること。【解決手段】一方の面部が一方向に傾斜して起毛されている合成繊維製のシート状の適宜形状のリントブラシ２と、リントブラシ２と同一形状の平面部を有し、当該平面部にリントブラシ２の起毛されていない面部が接着されたスポンジ体３とを備え、スポンジ体３は、板状に形成されているとともに、リントブラシ２が接着された面部と反対側の面部の一部周縁部が直線状エッジであるように形成され、リントブラシ２とスポンジ体３は、外周形状の一部が突出しているフック部５を有する。【選択図】図１
0003211126.tif 000002
【実用新案登録請求の範囲】
【請求項１】
一方の面部が一方向に傾斜して起毛されている合成繊維製のシート状の適宜形状のリントブラシと、前記リントブラシと同一形状の平面部を有し、当該平面部に前記リントブラシの起毛されていない面部が接着されたスポンジ体とを備えたことを特徴とするペットの毛取り具。
【請求項２】
前記スポンジ体は、板状に形成されているとともに、前記リントブラシが接着された面部と反対側の面部の一部周縁部が直線状エッジであるように形成されていることを特徴とする請求項１に記載のペットの毛取り具。
【請求項３】
前記リントブラシと前記スポンジ体は、外周形状の一部が突出しているフック部を有することを特徴とする請求項２に記載のペットの毛取り具。
【請求項４】
前記リントブラシの平面に対し垂直方向より見た前記リントブラシと前記スポンジ体の輪郭形状が、キャラクター形状であり、前記フック部が前記キャラクター形状の一部であることを特徴とする請求項３に記載のペットの毛取り具。
【請求項５】
前記スポンジ体は、独立気泡を有することを特徴とする請求項４に記載のペットの毛取り具。
【考案の詳細な説明】
【技術分野】
【０００１】
本考案は、例えばカーペットや衣服等に付着したペットの毛等を含む塵埃を寄せ集めまたは捕捉するのに適するペットの毛取り具に関する。
【背景技術】
【０００２】
従来より、カーペットや衣服等に付着したペットの毛を除去するためのブラッシングブラシや面清掃具が開示されている（特許文献１、２）。
【０００３】
特許文献１に開示されたエチケットブラシ（登録商標）は、柄を有するブラシ本体に、三角波状のリントブラシを設けた構成であり、猫等のペットの体をブラッシングして抜け毛を取るブラシである。
【０００４】
特許文献２に開示された面清掃具は、一方の面部に複数の平行な切込部を有する直方体状のゴムスポンジ製の集塵部と、前記複数の平行な切込部をＶ字状に拡開した溝部となるように前記集塵部の背面部を保持する保持部とを備えた構成であり、溝部の角の稜線を床面に摺動させることで、毛髪等を含む塵埃を寄せ集めるものである。
【先行技術文献】
【特許文献】
【０００５】
【特許文献１】特開２００８−１０４４４０号公報
【特許文献２】特開２０１５−２０５１４０号公報
【考案の概要】
【考案が解決しようとする課題】
【０００６】
しかしながら、特許文献１に開示されたものは、カーペットや衣服等に付着した毛髪等を含む塵埃を寄せ集めることができない、という問題があった。また特許文献２に開示されたものは、衣服等に付着したペットの毛や毛玉を除去することができない、という問題があった。
【０００７】
一方、従来において、単品で、カーペットや衣服等に付着した毛髪等を含む塵埃を寄せ集めと、衣服等に付着したペットの毛や毛玉を除去することについて何ら考慮されていない、という問題があった。
【０００８】
本考案は、上述の問題を解消するために案出されたもので、単品で、カーペットや衣服等に付着した毛髪等を含む塵埃を寄せ集めと、衣服等に付着したペットの毛や毛玉を除去することができるペットの毛取り具を提供することを目的としている。
【課題を解決するための手段】
【０００９】
上記目的を達成するため、本考案に係るペットの毛取り具は、一方の面部が一方向に傾斜して起毛されている合成繊維製のシート状の適宜形状のリントブラシと、前記シート部と同一形状の平面部を有し、当該平面部に前記リントブラシの起毛されていない面部が接着されたスポンジ体とを備えた構成である。
【００１０】
この構成によれば、本考案に係るペットの毛取り具は、摩擦係数が高いスポンジ体の面部や角部を床面やカーペット等に摺接させて床面やカーペット等に付着した毛髪等を含む塵埃を寄せ集めること、および、リントブラシの面部を衣服等に摺接させて当該衣服等に付着したペットの毛や毛玉を除去すること、を単品で実現できる。
【００１１】
本考案に係るペットの毛取り具は、上記構成に加え、前記スポンジ体が、板状に形成されているとともに、前記リントブラシが接着された面部と反対側の面部の一部周縁部が直線状エッジであるように形成された構成とするのがよい。
【００１２】
この構成によれば、本考案に係るペットの毛取り具は、スポンジ体が板状に形成されていることで、持ちやすく、棚などの見えるところに立て置きすることができ、スポンジ体が直線状エッジを備えているので、床面やカーペット等に接触する長さが大きく取れて、毛髪等を含む塵埃の寄せ集めを良好に行える。
【００１３】
本考案に係るペットの毛取り具は、上記構成に加え、前記リントブラシと前記スポンジ体について、外周形状の一部が突出しているフック部を有する構成とするのがよい。
【００１４】
この構成によれば、本考案に係るペットの毛取り具は、フック部を有するので、壁等にピン状の係止部に設けて、当該係止部にフック部を係止して仕舞っておくことができる。
【００１５】
本考案に係るペットの毛取り具は、上記構成に加え、前記リントブラシの平面に対し垂直方向より見た前記リントブラシと前記スポンジ体の輪郭形状について、キャラクター形状であり、前記フック部が前記キャラクター形状の一部である構成とするのがよい。
【００１６】
この構成によれば、本考案に係るペットの毛取り具は、キャラクター形状が付与されているので、棚などの見えるところに立て置きとし、または壁等にピン状の係止部に設けて、当該係止部にフック部を係止し、もってインテリアの一部を構成するように仕舞っておくことができる。
【００１７】
本考案に係るペットの毛取り具は、上記構成に加え、前記スポンジ体について、独立気泡を有する構成とするのがよい。
【００１８】
この構成によれば、本考案に係るペットの毛取り具は、独立気泡を有するので、連続気泡を有する構成に比べ、吸水性が低く、適度の形状安定性を有するから、リントブラシとスポンジ体との接着が長期間良好に保持され、また難燃性、耐候性を有し、取扱い易い。
【考案の効果】
【００１９】
本考案によれば、単品で、カーペットや衣服等に付着した毛髪等を含む塵埃を寄せ集めと、衣服等に付着したペットの毛や毛玉を除去することができるペットの毛取り具を提供することができる。
【図面の簡単な説明】
【００２０】
【図１】本考案の第１の実施の形態に係るペットの毛取り具の斜視図である。
【図２】図１のペットの毛取り具をスポンジ体の側から見た正面図である。
【図３】本考案の第２の実施の形態に係るペットの毛取り具の斜視図である。
【図４】図３のペットの毛取り具をスポンジ体の側から見た正面図である。
【図５】本考案の第３の実施の形態に係るペットの毛取り具の斜視図である。
【図６】本考案の第４の実施の形態に係るペットの毛取り具の斜視図である。
【図７】本考案の第５の実施の形態に係るペットの毛取り具の斜視図である。
【考案を実施するための形態】
【００２１】
本考案を図示の実施例に基づいて詳細に説明する。
【００２２】
［第１の実施の形態］
まず、構成について説明する。図１、図２に示すように、本実施の形態に係るペットの毛取り具１は、シート状のリントブラシ２と、板ブロック状のスポンジ体３とが積層されてなる。リントブラシ２の平面に対し垂直方向より見たリントブラシ２とスポンジ体３の輪郭形状は、購買力を高めるキャラクター形状であることが好ましく、本実施の形態では、猫が座っている形状である。
【００２３】
リントブラシ２は、一方の面部が起毛されている。起毛は、例えば０．５〜１ｍｍの短い丈で、かつ一方向に揃って傾斜して先端がパイル状になっている。一本一本の起毛は、適度な腰の強さを有しており、起毛の傾斜方向を摺動方向先側にして衣服等に摺接されると、衣服等との間で摩擦を大きく生じて垂直方向に逆毛立って当該衣服等に付着したペットの毛や毛玉、ホコリを除去する機能を有し、衣服等との摺接を解除されると、元の傾斜状態に復元する。リントブラシ２を起毛の傾斜方向に撫でると、起毛に絡んでいるペットの毛や毛玉、ホコリを容易に取り除くことができる。リントブラシ２は、ポリアミド繊維、ポリエステル繊維およびアクリル繊維のいずれか一種より構成されていることが好ましく、これによって、一本一本の起毛について、適度な腰の強さと復元力と耐久性とが得られる。
【００２４】
スポンジ体３は、独立気泡を有し、リントブラシ２と同一形状の平面部を有する板状であり、一方の平面部にリントブラシ２の起毛されていない面部が耐水性粘着剤で接着されている。耐水性粘着剤としては、例えば、アクリル系粘着剤やシリコーン系粘着剤を用いることができる。スポンジ体３は、天然ゴム、クロロプレンゴム、スチレンブタジエンゴム等、またはこれらゴム材料をブレンドしたゴム、あるいはポリエチレン、ポリプロピレン、ポリエステルなどの合成樹脂よりなるのが、耐久性、耐候性、耐熱性が良好であり、好ましい。
【００２５】
ペットの毛取り具１はフック部５を有している。当該フック部５は、リントブラシ２とスポンジ体３とを積層方向に見た輪郭形状が、上述した猫が座っているキャラクター形状であるのに対し、キャラクター形状の一部としての猫のしっぽ部分に相当して設けられている。
【００２６】
スポンジ体３は直線状の一部周縁部４を有している。当該一部周縁部４は、リントブラシ２とスポンジ体３とを積層方向に見た猫が座っている輪郭形状の中の、猫が接地している部分に相当している。したがって、スポンジ体３は、リントブラシ２が積層されない面部と、直線状の一部周縁部４との稜線が直線状エッジとなっている。この直線状エッジは、床面やカーペット等に適度の摩擦力を有して密着するので、床面やカーペット等に付着した毛髪等を含む塵埃を寄せ集める機能を有する。
【００２７】
以上のように構成された本実施の形態に係るペットの毛取り具１は、以下のような効果を有する。
【００２８】
ペットの毛取り具１は、摩擦係数が高いスポンジ体３の直線状の一部周縁部４の角部を床面やカーペット等に摺接させ床面やカーペット等に付着した毛髪等を含む塵埃を寄せ集めること、および、リントブラシ２の面で衣服等に当てて摩擦で起毛する方向に、衣服等に撫でるように摺接させ当該衣服等に付着したペットの毛や毛玉、ホコリを除去すること、を単品で実現できる。ペットの毛取り具１は、汚れが付着したら、水洗いすることができ、乾燥時間が短い。
【００２９】
ペットの毛取り具１は、スポンジ体３が板状に形成されていることで、持ちやすく、棚などの見えるところに立て置きすることができ、スポンジ体３が直線状エッジを備えているので、床面やカーペット等に接触する長さが大きく取れて、毛髪等を含む塵埃の寄せ集めを良好に行える。
【００３０】
ペットの毛取り具１は、フック部５を有するので、壁等にピン状の係止部に設けて、当該係止部にフック部５を係止して仕舞っておくことができる。
【００３１】
ペットの毛取り具１は、キャラクター形状が付与されているので、棚などの見えるところに立て置きとし、または壁等にピン状の係止部に設けて、当該係止部にフック部５を係止し、もってインテリアの一部を構成するように仕舞っておくことができる。
【００３２】
ペットの毛取り具１は、合成繊維製のシート状のリントブラシ２について、ポリアミド繊維、ポリエステル繊維およびアクリル繊維のいずれか一種よりなる構成としたので、パイル状に起毛の耐久性は得られる。
【００３３】
ペットの毛取り具１は、スポンジ体３について、独立気泡を有する構成であるので、連続気泡を有する構成に比べ、吸水性が低く、適度の形状安定性を有するから、リントブラシとスポンジ体との接着が長期間良好に保持され、また難燃性、耐候性を有し、取扱い易い。
【００３４】
［第２の実施の形態］
まず、構成について説明する。図３、図４に示すように、本実施の形態に係るペットの毛取り具１Ａは、リントブラシ２Ａと、リントブラシ２Ａと接着されたスポンジ体３Ａと、を備え、輪郭形状が、犬が座っているキャラクター形状であり、外周形状の一部がキャラクター形状の一部である犬のしっぽ部分として突出しているフック部５Ａを有し、リントブラシ２Ａが接着された面部と反対側の面部の一部周縁部４Ａ（犬が接地している部分）が線状エッジであるように形成されている。
【００３５】
その他の構成は、第１の実施の形態と同一であるので説明を省略する。また、本実施の形態に係るペットの毛取り具１Ａは、第２の実施の形態に係るペットの毛取り具１と同一の効果を有する。
【００３６】
［その他の実施の形態］
本考案に係るペットの毛取り具は、動物のキャラクターをあしらった輪郭形状に限定されるものではなく、一般的な輪郭形状とした場合も含むものである。図５は第３の実施の形態に係るペットの毛取り具１Ｂを示すもので、矩形のリントブラシ２Ｂと、矩形のスポンジ体３Ｂとが接着されてなり、スポンジ体３Ｂのリントブラシ２Ｂと反対側の面の四辺周縁部が線状エッジである。図６は第４の実施の形態に係るペットの毛取り具１Ｃを示すもので、長円形のリントブラシ２Ｃと、長円形のスポンジ体３Ｃとが接着されてなり、スポンジ体３Ｃのリントブラシ２Ｃと反対側の面の両側の長辺部分の周縁部４Ｃが線状エッジである。図７は第５の実施の形態に係るペットの毛取り具１Ｄを示すもので、円形のリントブラシ２Ｄと、円形のスポンジ体３Ｄとが接着されてなる。第５の実施の形態が示すように、本考案に係るペットの毛取り具は、線状エッジが存在しない場合も含む。線状エッジが存在しない場合には、スポンジ体３Ｄの面を傾斜させてカーペットなどに摺接させることで、ペットの毛、その他の塵埃を寄せ集めることができる。
【００３７】
［スポンジ体の形状に関する変形例について］
第１，第２の実施の形態のスポンジ体３，３Ａは、板状ブロック状に形成されているが、リントブラシ２，２Ａと同一形状の平面部を片面だけに有し、当該平面部に前記リントブラシの起毛されていない面部が接着された構成であってよく、さらに平面ではない他面は、猫や犬などのキャラクターの立体形状であってもよい。
【００３８】
本考案によれば、単品で、カーペットや衣服等に付着した毛髪等を含む塵埃を寄せ集めと、衣服等に付着したペットの毛や毛玉を除去することができるという効果を奏し、マルチ機能を有する優れたペットの毛取り具を提供することができる。
【符号の説明】
【００３９】
１，１Ａ〜１Ｅ  ペットの毛取り具
２，２Ａ〜２Ｅ  リントブラシ
３，３Ａ〜３Ｅ  スポンジ体
４，４Ａ，３Ｄ  一部周縁部
５，５Ａ  フック部
【図１】
0003211126.tif 000003
【図２】
0003211126.tif 000004
【図３】
0003211126.tif 000005
【図４】
0003211126.tif 000006
【図５】
0003211126.tif 000007
【図６】
0003211126.tif 000008
【図７】
0003211126.tif 000009